(57)【要約】【課題】効率的に蒸発皿上のドレン水を蒸発処理することができるドレン水蒸発装置を提供する。【解決手段】冷却装置からのドレン水を蒸発処理するためのドレン水蒸発装置１は、ドレン水を受ける蒸発皿１７と、この蒸発皿１７を二枚の熱良導性板材１７Ａ、１７Ｂにより構成し、これら熱良導性板材１７Ａ、１７Ｂ間に、冷却装置の冷媒回路中の高温冷媒が流れる高温冷媒通路１７Ｃを一体に形成し、高温冷媒通路１７Ｃを流れる高温冷媒の熱を効率的に蒸発皿１７上のドレン水の蒸発処理に利用する。【選択図】      図３
2004270997.tif 000002
【特許請求の範囲】
【請求項１】
冷却装置からのドレン水を蒸発処理するためのドレン水蒸発装置であって、
前記ドレン水を受ける蒸発皿と、
該蒸発皿に、前記冷却装置の冷媒回路中の高温冷媒が流れる高温冷媒通路を一体に形成したことを特徴とするドレン水蒸発装置。
【請求項２】
前記蒸発皿は、相互に密着された少なくとも二枚の熱良導性板材より構成され、これら熱良導性板材間に前記高温冷媒通路を構成したことを特徴とする請求項１のドレン水蒸発装置。
【請求項３】
前記蒸発皿は、前記高温冷媒通路を前記冷却装置のドレン水排出口下方に対応させて配置されていることを特徴とする請求項１又は請求項２のドレン水蒸発装置。
【請求項４】
前記蒸発皿は上下に複数設置され、上側の蒸発皿で受容したドレン水を順次下側の蒸発皿に溢出させるオーバーフロー管を備えると共に、前記高温冷媒通路は、直上の前記蒸発皿に設けられた前記オーバーフロー管の下方に対応して配置されていることを特徴とする請求項１、請求項２又は請求項３のドレン水蒸発装置。
【請求項５】
前記蒸発皿内に、前記ドレン水の蒸発を促進するための蒸発板を設けたことを特徴とする請求項１、請求項２、請求項３又は請求項４のドレン水蒸発装置。
【発明の詳細な説明】
【０００１】
【発明の属する技術分野】
本発明は、冷蔵庫や低温ショーケースなどのドレン水を受容して蒸発処理するためのドレン水蒸発装置に関するものである。
【０００２】
【従来の技術】
従来よりこの種のドレン水蒸発装置は、冷蔵庫などの本体下部の機械室内に冷却器のドレン水を受容する蒸発皿を設け、この蒸発皿に、電気ヒータ或いは圧縮機からの吐出高温冷媒を流す配管を備え、これら電気ヒータ或いは配管によって加熱することにより、ドレン水を蒸発させる構成としていた（特許文献１参照。）。
【０００３】
また、上記実施例以外にも、ドレン水を蒸発させる装置として、図６に示す如きドレン水蒸発装置１００がある。係るドレン水蒸発装置１００は、例えば低温ショーケースの機械室１０１内に配設される。この機械室１０１内には、冷却装置のコンデンサ１０２が設けられ、このコンデンサ１０２の後側に送風機としてのコンデンシングファン１０３が取り付けられる。そして、このコンデンシングファン１０３の後側にドレン水蒸発装置１００が設けられる。
【０００４】
このドレン水蒸発装置１００は、上下に所定間隔を存して３枚の蒸発皿１０４Ａ、１０４Ｂ、１０４Ｃとを備えて構成される。各蒸発皿１０４Ａ、１０４Ｂ、１０４Ｃは、所定の深さを有して矩形状に形成されており、上側に位置する蒸発皿１０４Ａ及び１０４Ｂには、オーバーフロー管１０５Ａ、１０５Ｂが設けられる。
【０００５】
そして、最上段の蒸発皿１０４Ａには、圧縮機からの高温冷媒を流す配管１０６が蒸発皿１０４Ａ側方から挿入され、中段の蒸発皿１０４Ｂ及び最下段の蒸発皿１０４Ｃには、蒸発板１０７がそれぞれ設けられていた。これにより、機械室１０１上方の冷却室から排出されたドレン水は、最上段の蒸発皿１０４Ａに受容され、高温冷媒が流れる配管により加熱される。そして、最上段の蒸発皿１０４Ａにて蒸発処理しきれないドレン水は、オーバーフロー管１０５Ａを介して中段の蒸発皿１０４Ｂに受容され、当該蒸発皿１０４Ｂにおいても蒸発処理しきれないドレン水は、オーバーフロー管１０５Ｂを介して最下段の蒸発皿１０４Ｃに受容され、蒸発処理されるものであった。
【０００６】
【特許文献１】
特公昭５２−２２７１１号公報
【０００７】
【発明が解決しようとする課題】
しかしながら、上記従来のドレン水蒸発装置では、前記高温冷媒を流す配管は、蒸発皿とは別に構成されており、蒸発皿の側方から挿入されることにより、設置されていた。そのため、前記配管が設置される高さよりも低い水位したドレン水が溜まらない場合には、当該ドレン水に配管内の高温冷媒の熱を効率的に伝達することができず、ドレン水の蒸発効率が低下する問題があった。
【０００８】
また、蒸発皿と高温冷媒が流れる配管との接触面積が小さいため、効率的に高温冷媒の熱を蒸発皿に伝達することができず、高温冷媒の熱を有効利用することができないという問題があった。そのため、格別に電気ヒータを用いて高温冷媒による加熱不足を補わなければ成らず、効率的なドレン水の蒸発処理を実行することができないという問題があった。
【０００９】
そこで、本発明は従来の技術的課題を解決するために成されたものであり、効率的に蒸発皿上のドレン水を蒸発処理することができるドレン水蒸発装置を提供することを目的とする。
【００１０】
【課題を解決するための手段】
本発明のドレン水蒸発装置は、冷却装置からのドレン水を蒸発処理するためのものであって、ドレン水を受ける蒸発皿と、該蒸発皿に、冷却装置の冷媒回路中の高温冷媒が流れる高温冷媒通路を一体に形成したことを特徴とする。
【００１１】
本発明によれば、冷却装置からのドレン水を蒸発処理するためのドレン水蒸発装置において、ドレン水を受ける蒸発皿と、該蒸発皿に、冷却装置の冷媒回路中の高温冷媒が流れる高温冷媒通路を一体に形成したので、高温冷媒通路を流れる高温冷媒の熱を効率的に蒸発皿上のドレン水の蒸発処理に利用することができるようになる。
【００１２】
請求項２の発明のドレン水蒸発装置は、上記において、蒸発皿は、相互に密着された少なくとも二枚の熱良導性板材より構成され、これら熱良導性板材間に高温冷媒通路を構成したことを特徴とする。
【００１３】
請求項２の発明によれば、上記において、蒸発皿は、相互に密着された少なくとも二枚の熱良導性板材より構成され、これら熱良導性板材間に高温冷媒通路を形成したので、容易に蒸発皿に高温冷媒を流通させることができると共に、熱良導性板材により高温冷媒の熱を容易に蒸発皿上のドレン水に伝達することができ、より一層ドレン水の蒸発効率を向上させることができるようになる。
【００１４】
請求項３の発明のドレン水蒸発装置は、上記各発明において、蒸発皿は、高温冷媒通路を冷却装置のドレン水排出口下方に対応させて配置されていることを特徴とする。
【００１５】
請求項３の発明によれば、上記各発明において、蒸発皿は、高温冷媒通路を冷却装置のドレン水排出口下方に対応させて配置されているので、ドレン水排出口から流入したドレン水を蒸発皿の高温冷媒通路にて加熱することができ、効率的な蒸発処理を行うことができるようになる。
【００１６】
請求項４の発明のドレン水蒸発装置は、上記各発明において、蒸発皿は上下に複数設置され、上側の蒸発皿で受容したドレン水を順次下側の蒸発皿に溢出させるオーバーフロー管を備えると共に、高温冷媒通路は、直上の蒸発皿に設けられたオーバーフロー管の下方に対応して配置されていることを特徴とする。
【００１７】
請求項４の発明によれば、上記各発明において、蒸発皿は上下に複数設置され、上側の蒸発皿で受容したドレン水を順次下側の蒸発皿に溢出させるオーバーフロー管を備えると共に、高温冷媒通路は、真上の蒸発皿に設けられたオーバーフロー管の下方に対応して設置されているので、上側の蒸発皿からオーバーフロー管を介して溢出したドレン水を下側の蒸発皿に形成された高温冷媒通路にて加熱することができ、効率的に蒸発処理を行うことができるようになる。
【００１８】
請求項５の発明のドレン水蒸発装置は、上記各発明において、蒸発皿内に、ドレン水の蒸発を促進するための蒸発板を設けたことを特徴とする。
【００１９】
請求項５の発明によれば、上記各発明において、蒸発皿内に、ドレン水の蒸発を促進するための蒸発板を設けたので、蒸発皿内のドレン水が蒸発板を浸透していき、当該蒸発板の表面から拡散することにより、より一層効率的にドレン水の蒸発処理を実現することができるようになる。
【００２０】
【発明の実施の形態】
次に、図面に基づき本発明の実施形態を詳述する。図１は本発明を適用する実施例としての低温ショーケース１の斜視図、図２は低温ショーケース１の機械室２の平面図、図３は機械室２の側断面図、図４は蒸発皿１７の側断面図を示している。実施例の低温ショーケース１は、断面略コ字状の断熱壁６の両側に側板７、７を取り付け、前面に開口した貯蔵室８を構成しており、この貯蔵室８内には商品陳列用の複数段の棚９・・・が架設されている。
【００２１】
断熱壁６の底壁６Ａ下方にはベース１１上に機械室２が構成されている。この機械室２内には、一側前側に位置して冷却装置のコンデンサ１２がベース１１上に据え付けられており、その後側に送風機としてのコンデンシングファン１３が取り付けられている。このコンデンシングファン１３の後方には本発明のドレン水蒸発装置３がベース１１上に設置されており、機械室２内の他側には冷却装置のコンプレッサ１４がベース１１上に据え付けられている。このコンプレッサ１４は、図５に示す如く冷媒配管２５により詳細は後述する高温冷媒通路１７Ｃ、１８Ｃと、コンデンサ１２と、膨張弁２６と、貯蔵室内を冷却する冷却器２７とが環状に接続され、所謂冷凍サイクルを構成している。
【００２２】
一方、前記ドレン水蒸発装置３は、四隅で起立する支柱１６・・・と、これら支柱１６・・・の内側において上下に所定間隔を存して保持された３枚の蒸発皿１７、１８、１９とを備えて構成されている。尚、図３では支柱１６は省略する。各蒸発皿１７、１８、１９は所定の深さを有して矩形状を呈している。
【００２３】
ここで、最上段を構成する蒸発皿１７は、図４に示す如く上面に開口する矩形状の熱良導性板材１７Ａと、当該熱良導性板材１７Ａの下面に密着して構成される熱良導性板材１７Ｂとから構成される。これら熱良導性板材１７Ａ、１７Ｂ間には、例えばロールボンドにより高温冷媒通路１７Ｃが構成されている。尚、最下段を構成する蒸発皿１９以外の他の蒸発皿、即ち、中段の蒸発皿１８も蒸発皿１７と同様に高温冷媒通路１８Ｃが構成されているものとする。また、本実施例では、蒸発皿１７、１８は、二枚の熱良導性板材により構成し、当該熱良導性板材間に高温冷媒通路を形成しているが、これ以外にも、二枚以上の熱良導性板材を用いて蒸発皿を構成し、これら熱良導性板材間に複数の高温冷媒通路を形成してもよいものとする。
【００２４】
また、各高温冷媒通路１７Ｃ及び１８Ｃは、各蒸発皿１７、１８において、例えば前後どちらかに偏位して形成され、これら高温冷媒通路１７Ｃ、１８Ｃは、同じ側に形成されないものとする。
【００２５】
そして、これら高温冷媒通路１７Ｃ及び１８Ｃには、冷媒配管２５を介して前記コンプレッサ１４が接続され、当該コンプレッサ１４から吐出された高温冷媒が高温冷媒通路１７Ｃ及び１８Ｃに流入する構成とされている。これにより、容易に蒸発皿１７、１８に高温冷媒を流通させることができる。尚、最上段を構成する蒸発皿１７に形成される高温冷媒通路１７Ｃは、中段を構成する蒸発皿１８に形成される高温冷媒通路１８Ｃよりも冷媒回路上で上流側に位置しているものとする。
【００２６】
各蒸発皿１７、１８、１９内には、ドレン水が浸透していって、その表面から拡散しやすくする蒸発板３０がそれぞれ設けられている。本実施例では、蒸発板３０の一例としてユニベックス（商品名）を使用しており、これは、ポリエステル繊維等の不織布を基材とし、この基材に微粒子のフェノールを熱硬化させて固着剤とし、更に親水性を付与してアルコール系の溶剤に浸した後、乾燥させたものである。
【００２７】
また、最下段を構成する蒸発皿１９以外の蒸発皿、即ち、蒸発皿１７、１８には、各高温冷媒通路１７Ｃ、１８Ｃと重複しない位置であって、垂直方向で相互に重複しない位置にオーバーフロー管２１、２２がそれぞれ取り付けられている。
【００２８】
前記断熱壁６の内側には、前記冷却装置の冷却器２７（図３では図示せず。）が設けられており、断熱壁６の底壁６Ａ上面にはこの冷却器２７からのドレン水を集めるドレン受け部２８が構成され、このドレン受け部２８からは底壁６Ａを貫通して排水パイプ２９が機械室２内に臨んでいる。ドレン水蒸発装置３の最上段の蒸発皿１７は、この排水パイプ２９の真下に位置し、排水パイプ２９からのドレン水を最上段の蒸発皿１７に導くと共に、この排水パイプ２９の真下に高温冷媒通路１７Ｃを位置させる。その際に、オーバーフロー管２１は、高温冷媒通路１７Ｃと重複しない位置に形成されているので、排水パイプ２９と垂直方向で重複しない位置となる。
【００２９】
以上の構成により、図示しない制御装置などにより冷却器２７の除霜運転が実行されると、この除霜によって生じたドレン水は断熱壁６のドレン受け部２８に集められ、排水パイプ２９から流下してドレン水蒸発装置１の最上段の蒸発皿１７に受容される。蒸発皿１７内に流入したドレン水は、蒸発皿１７の下面に高温冷媒通路１７Ｃが一体に形成されていることから、高温冷媒通路１７Ｃを流れる高温冷媒の熱を効率的に利用して、蒸発皿１７上のドレン水が蒸発処理される。
【００３０】
また、本発明において、蒸発皿１７に形成された高温冷媒通路１７Ｃは、熱良導性板材１７Ａ、１７Ｂにより構成されるため、高温冷媒の熱を容易に蒸発皿１７上のドレン水に伝達することができ、より一層ドレン水の蒸発効率を向上させることができる。
【００３１】
また、排水パイプ２９からのドレン水は、直接、高温冷媒通路１７Ｃが形成される蒸発皿１７底面に流下するため、より一層効率的に加熱されて蒸発される。
【００３２】
そして、排水パイプ２９から流下するドレン水が、蒸発皿１７の高温冷媒による加熱能力以上に流下し、蒸発皿１７内のドレン水の水位が上昇してオーバーフロー管２１の上端に至ると、ドレン水は、オーバーフロー管２１の上端から流入し、下方に位置する中段の蒸発皿１８に溢出する。
【００３３】
蒸発皿１８内に流入したドレン水は、同じく蒸発皿１８の下面に高温冷媒通路１８Ｃが一体に形成されていることから、高温冷媒通路１８Ｃを流れる高温冷媒の熱を効率的に利用して、蒸発皿１８上のドレン水が蒸発処理される。また、上段の蒸発皿１７のオーバーフロー管２１から溢出したドレン水は、直接、高温冷媒通路１８Ｃが形成される蒸発皿１８底面に流下するため、より一層効率的に加熱されて蒸発される。
【００３４】
そして、オーバーフロー管２１から流下するドレン水が、蒸発皿１８の高温冷媒による加熱能力以上に流下し、蒸発皿１８内のドレン水の水位が上昇してオーバーフロー管２２の上端に至ると、ドレン水は、オーバーフロー管２２の上端から流入し、下方に位置する最下段の蒸発皿１９に受容される。
【００３５】
尚、各蒸発皿１７、１８、１９には、蒸発板３０が設けられているため、当該蒸発板３０にドレン水が浸透していって、その表面から拡散し、ドレン水の蒸発を促進することができる。
【００３６】
また、上述した如きドレン水蒸発装置１は、別部材にて構成される蒸発パイプを挿入したり、電気ヒータを設けるものではないため、装置の簡素化・コンパクト化を図ることができる。
【００３７】
尚、上述した如くドレン水を加熱する高温冷媒通路１７Ｃ、１８Ｃは、蒸発皿１７及び１８に一体に形成されるため、高温冷媒通路１７Ｃ、１８Ｃを流れる高温冷媒の熱を効率的にドレン水の加熱に用いることができ、ドレン水の蒸発処理能力を向上させることができるようになる。
【００３８】
【発明の効果】
以上詳述した如く本発明によれば、冷却装置からのドレン水を蒸発処理するためのドレン水蒸発装置において、ドレン水を受ける蒸発皿と、該蒸発皿に、冷却装置の冷媒回路中の高温冷媒が流れる高温冷媒通路を一体に形成したので、高温冷媒通路を流れる高温冷媒の熱を効率的に蒸発皿上のドレン水の蒸発処理に利用することができるようになる。
【００３９】
請求項２の発明によれば、上記において、蒸発皿は、相互に密着された少なくとも二枚の熱良導性板材より構成され、これら熱良導性板材間に高温冷媒通路を形成したので、容易に蒸発皿に高温冷媒を流通させることができると共に、熱良導性板材により高温冷媒の熱を容易に蒸発皿上のドレン水に伝達することができ、より一層ドレン水の蒸発効率を向上させることができるようになる。
【００４０】
請求項３の発明によれば、上記各発明において、蒸発皿は、高温冷媒通路を冷却装置のドレン水排出口下方に対応させて配置されているので、ドレン水排出口から流入したドレン水を蒸発皿の高温冷媒通路にて加熱することができ、効率的な蒸発処理を行うことができるようになる。
【００４１】
請求項４の発明によれば、上記各発明において、蒸発皿は上下に複数設置され、上側の蒸発皿で受容したドレン水を順次下側の蒸発皿に溢出させるオーバーフロー管を備えると共に、高温冷媒通路は、真上の蒸発皿に設けられたオーバーフロー管の下方に対応して設置されているので、上側の蒸発皿からオーバーフロー管を介して溢出したドレン水を下側の蒸発皿に形成された高温冷媒通路にて加熱することができ、効率的に蒸発処理を行うことができるようになる。
【００４２】
請求項５の発明によれば、上記各発明において、蒸発皿内に、ドレン水の蒸発を促進するための蒸発板を設けたので、蒸発皿内のドレン水が蒸発板を浸透していき、当該蒸発板の表面から拡散することにより、より一層効率的にドレン水の蒸発処理を実現することができるようになる。
【図面の簡単な説明】
【図１】本発明を適用する実施例としての低温ショーケースの斜視図である。
【図２】低温ショーケースの機械室の平面図である。
【図３】機械室の側断面図である。
【図４】蒸発皿の側断面図である。
【図５】冷却装置の冷媒回路図である。
【図６】従来のドレン水蒸発装置を備えた低温ショーケースの機械室の断面図である。
【符号の説明】
１  低温ショーケース
２  機械室
３  ドレン水蒸発装置
６  断熱壁
６Ａ  底壁
１２  コンデンサ
１３  コンデンシングファン
１４  コンプレッサ
１７、１８、１９  蒸発皿
１７Ａ、１７Ｂ  熱良導性板材
１７Ｃ、１８Ｃ  高温冷媒通路
２１、２２  オーバーフロー管
２７  冷却器
２８  ドレン受け部
【図１】
2004270997.tif 000003
【図２】
2004270997.tif 000004
【図３】
2004270997.tif 000005
【図４】
2004270997.tif 000006
【図５】
2004270997.tif 000007
【図６】
2004270997.tif 000008